【手続補正書】
【提出日】平成20年4月25日(2008.4.25)
【手続補正１】
【補正対象書類名】明細書
【補正対象項目名】特許請求の範囲
【補正方法】変更
【補正の内容】
【特許請求の範囲】
【請求項１】  オイル、燃料、冷却剤又は空気のフィルター材料の化学的グラフト化用の被覆組成物であって、
約３０〜５０重量％の水性アクリル樹脂、
約３〜１１重量％の水性懸濁液中の高分子量シリコーン、
約２０〜４０重量％の脱イオン水、蒸留水又は他の方法による純水、
約５〜１６重量％のバインダー、
約１重量％未満の触媒、及び
約１重量％未満のグラフト開始剤
を含む組成物。
【請求項２】  前記水性アクリル樹脂がアクリルコポリマーである、請求項１に記載の組成物。
【請求項３】  前記バインダーが脂肪族ポリウレタンである、請求項１に記載の組成物。
【請求項４】  前記触媒が、過酸化水素、過酸化尿素、過硫酸アンモニウム、過硫酸カリウム、メタ重亜硫酸ナトリウム及びこれらの混合物から選択された少なくとも１種である、請求項１に記載の組成物。
【請求項５】  前記グラフト開始剤が、Ｆｅ３＋、Ｆｅ２＋、Ａｇ＋、Ｃｏ２＋、Ｃｕ２＋及びこれらの混合物を含有する金属イオン系から選択された少なくとも１種である、請求項１に記載の組成物。
【請求項６】  前記触媒が過酸化尿素である、請求項１に記載の組成物。
【請求項７】  前記グラフト開始剤が硝酸銀である、請求項１に記載の組成物。
【請求項８】  オイル、燃料、冷却剤又は空気のフィルター材料の化学的グラフト化用の被覆組成物であって、
約２０〜４０重量％のモノマー、
約２０〜４０重量％のイソプロピルアルコール、
約２０〜４０重量％の脱イオン水、蒸留水又は他の方法による純水、
約４〜１５重量％のエステル、
約４重量％未満の触媒、及び
約１重量％未満のグラフト開始剤
を含む組成物。
【請求項９】  更に約０．５重量％未満のプレポリマーを含む、請求項８に記載の組成物。
【請求項１０】  前記プレポリマーがポリアクリルアミドポリマーである、請求項９に記載の組成物。
【請求項１１】  前記モノマーが２−アクリルアミド−２−メチルプロパンスルホン酸ナトリウム塩の５０％水溶液である、請求項８に記載の組成物。
【請求項１２】  前記エステルがモノマー性メタクリル酸エステルである、請求項８に記載の組成物。
【請求項１３】  前記エステルが２−ヒドロキシエチルメタクリレートである、請求項８に記載の組成物。
【請求項１４】  前記触媒が、過酸化水素、過酸化尿素、過硫酸アンモニウム、過硫酸カリウム、メタ重亜硫酸ナトリウム及びこれらの混合物から選択された少なくとも１種である、請求項８に記載の組成物。
【請求項１５】  更に、約０．５重量％未満の殺菌剤を含む、請求項９に記載の組成物。
【請求項１６】  前記殺菌剤がカルバメートである、請求項１５に記載の組成物。
【請求項１７】  フィルター材料及びこのフィルター材料に化学的にグラフト化している組成物を含むオイル、燃料、冷却剤又は空気のフィルターであって、
前記フィルター材料が、綿、紙ベースの材料、合成物質及びこれらの組合せからなる群から選択された少なくとも１種であり、かつ
前記組成物が、
約２０〜４０重量％のモノマー、
約２０〜４０重量％のイソプロピルアルコール、
約２０〜４０重量％の脱イオン水、蒸留水又は他の方法による純水、
約４〜１５重量％のエステル、
約４重量％未満の触媒、及び
約１重量％未満のグラフト開始剤
を含む、フィルター。
【請求項１８】  ａ．フィルター基体に化学的にグラフト化するための組成物を製造する工程、
ｂ．前記組成物をフィルター基体に化学的にグラフト化させる工程
を含む、オイル、燃料、冷却剤又は空気のフィルターの製造方法。
【請求項１９】  前記製造する工程が、
約２０〜４０重量％の脱イオン水、蒸留水又は他の方法による純水、
約２０〜４０重量％のモノマー、
約２０〜４０重量％のイソプロピルアルコール、
約４〜１５重量％のエステル、
約４重量％未満の過酸化物系の触媒、及び
約１重量％未満のグラフト開始剤
を混合することを含む、請求項１８に記載の方法。
【請求項２０】  更に、モノマー中に混合する前に、約０．５重量％未満のプレポリマーを添加することを含む、請求項１９に記載の方法。
【請求項２１】  前記プレポリマーが、約６０〜１００℃の温度で水と混合されたポリアクリルアミドポリマーである、請求項２０に記載の方法。
【請求項２２】  前記ポリアクリルアミドポリマーを約６０〜１００℃の温度で水と混合し、次いで殺菌剤と混合し、その後残りの他の全成分と混合する、請求項２０に記載の方法。
【請求項２３】  前記化学的にグラフト化させる工程が、フィルター基体を組成物中に浸漬することによって、前記組成物をフィルター基体に化学的にグラフト化することを含む、請求項１８に記載の方法。
【請求項２４】  前記化学的にグラフト化させる工程が、更に、フィルター基体を絞って過剰の組成物を除去することを含む、請求項２３に記載の方法。
【請求項２５】  前記化学的にグラフト化させる工程が、フィルター基体を組成物中に浸漬することによって、前記組成物をフィルター基体に化学的にグラフト化し、そして前記フィルター基体を約２００〜３００°Ｆで硬化させることを含む、請求項１８に記載の方法。
【請求項２６】  オイル、燃料、冷却剤又は空気のフィルター材料の化学的グラフト化用の被覆組成物であって、
約１重量％未満のポリアクリルアミドプレポリマー、
約２０〜４０重量％の脱イオン水、蒸留水又は他の方法による純水、
約２０〜４０重量％のモノ２−アクリルアミド−２−メチルプロパンスルホン酸塩の５０％水溶液、
約２０〜４０重量％のアルコール系溶媒、
約４〜１５重量％のモノマーエステル、
約６重量％未満の触媒、及び
約２重量％未満のグラフト開始剤
を含む組成物。
【請求項２７】  オイル、燃料、冷却剤又は空気のフィルター材料の化学的グラフト化用の被覆組成物であって、
約１重量％未満のポリアクリルアミドプレポリマー、
約２０〜４０重量％の脱イオン水、蒸留水又は他の方法による純水、
約２０〜４０重量％のモノ２−アクリルアミド−２−メチルプロパンスルホン酸塩の５０％水溶液、
約２０〜４０重量％のイソプロピルアルコール、
約４〜１５重量％の２−ヒドロキシエチルメタクリレート、
過硫酸アンモニウム、メタ重亜硫酸ナトリウム、過酸化水素及びこれらの混合物からなる群から選択された少なくとも１種である約６重量％未満の触媒、及び
約２重量％未満の硝酸銀
を含む組成物。
【請求項２８】  ポリマー又はコポリマーが化学的にグラフト化されたフィルター材料を含むオイル、燃料、冷却剤又は空気のフィルターであって、化学的にグラフト化されたポリマー又はコポリマーが、フィルター材料に対する化学組成物の処理から得られ、前記化学組成物が、
約２０〜４０重量％のモノマー、
約２０〜４０重量％のアルコール、
約２０〜４０重量％の脱イオン水、蒸留水又は他の方法による純水、
約４〜１５重量％のエステル、
約６重量％未満の触媒、及び
約２重量％未満のグラフト開始剤
を含むフィルター。
【請求項２９】  前記フィルター材料が、セルロース性材料、合成物質及びこれらの組合せからなる群から選択された少なくとも１種である、請求項２８に記載のオイル、燃料、冷却剤又は空気のフィルター。
【請求項３０】  前記セルロース性材料が綿材料である、請求項２９に記載のオイル、燃料、冷却剤又は空気のフィルター。
【請求項３１】  前記セルロース性材料が紙材料である、請求項２９に記載のオイル、燃料、冷却剤又は空気のフィルター。
【請求項３２】  前記合成物質が、アクリル樹脂、ポリエステル及びこれらの組合せからなる群から選択された少なくとも１種である、請求項２９に記載のオイル、燃料、冷却剤又は空気のフィルター。
【請求項３３】  濾過すべきオイル、燃料又は空気を、ポリマー又はコポリマーが化学的にグラフト化されたフィルター材料を含むフィルターに通過させることを含むオイル、燃料、冷却剤又は空気の濾過方法であって、化学的にグラフト化されたポリマー又はコポリマーが、フィルター材料に対する化学組成物の処理から得られ、前記化学組成物が、
約２０〜４０重量％のモノマー、
約２０〜４０重量％のイソプロピルアルコール、
約２０〜４０重量％の脱イオン水、蒸留水又は他の方法による純水、
約４〜１５重量％のエステル、
約６重量％未満の触媒、及び
約２重量％未満のグラフト開始剤
を含む方法。
【手続補正２】
【補正対象書類名】明細書
【補正対象項目名】００２１
【補正方法】変更
【補正の内容】
【００２１】
グラフト開始剤は、金属イオン系Ｆｅ３＋、Ｆｅ２＋、Ａｇ＋、Ｃｏ２＋、Ｃｕ２＋からなることができる。過酸化物は、過酸化水素、過酸化尿素、過硫酸アンモニウム、過硫酸カリウム及び／又はメタ重亜硫酸ナトリウムのような水溶性触媒から選択する必要がある。モノマー及びプレポリマーは、側鎖官能基Ｘを有しており、それら同士の間で及び配合物中に含有されている追加のプレポリマーと反応して、グラフト架橋した有機皮膜を形成することができる。モノマー及びプレポリマーの官能基は、ヒドロキシル基、カルボキシル基、第二級及び／又は第三級アミノ基からなるものでなければならない。反応性成分の官能基の分子比は、反応が終わった後に遊離の基が残らないように調節される。配合物中に含有されるプレポリマー及びモノマーの物理的及び化学的特性は、これらが綿布上にグラフトしたときに高い耐熱性、耐薬品性、非浸出特性、並びに、例えばオイル濾過システム中のオイルからの炭素、煤煙、シリカ、金属粒子及び他の汚染物質の除去のために高い濾過効率を与えるように選択されている。
【手続補正３】
【補正対象書類名】明細書
【補正対象項目名】００２４
【補正方法】変更
【補正の内容】
【００２４】
（実施例１）
【表１】
2003531724.tif 000001
【手続補正４】
【補正対象書類名】明細書
【補正対象項目名】００３０
【補正方法】変更
【補正の内容】
【００３０】
（実施例３）
【表３】
2003531724.tif 000002
【手続補正５】
【補正対象書類名】明細書
【補正対象項目名】００３２
【補正方法】変更
【補正の内容】
【００３２】
（実施例４）
【表４】
2003531724.tif 000003
【手続補正６】
【補正対象書類名】明細書
【補正対象項目名】００４６
【補正方法】変更
【補正の内容】
【００４６】
被覆システムの他の実施例に於いて、約１重量％未満（例えば、約０．０８％）の、殺菌剤が添加された熱水（６０〜１００℃）中に溶解されたポリアクリルアミドプレポリマー；約２０〜４０％（例えば、約２８％）の脱イオン水、蒸留水又は他の方法による純水；約２０〜４０％（例えば、約３２％）のモノ２−アクリルアミド−２−メチルプロパンスルホン酸塩の５０％水溶液；約２０〜４０％（例えば、約３０％）の、イソプロピルアルコールのような溶媒；約４〜１５％（例えば、約８％）の、２−ヒドロキシエチルメタクリレートのようなモノマーエステル；約２％未満（例えば、約０．８％）の、過硫酸アンモニウム（１０％溶液）のような触媒；約２％未満（例えば、約０．８％）の、メタ重亜硫酸ナトリウム（１０％溶液）のような触媒；約２％未満（例えば、約０．００８％）の、過酸化水素（０．１％溶液）のような触媒；及び、約２％未満（例えば、約０．００８％）の、硝酸銀（０．１％溶液）のようなグラフト開始剤、を含む配合物を使用することができる。硬化は、典型的には、約１００〜１３０℃の温度が好ましいが、処理される繊維に悪影響を与えないように十分に低い温度とすることが好ましい。